(57)【特許請求の範囲】
【請求項１】
手元側には、支点を中心に回動自在で各々に指かけが形成された一対の操作レバーを設け、先端側には、上記一対の操作レバーを開閉操作することによって遠隔的に開閉駆動される先端作動部材を設けた内視鏡用処置具において、
上記先端作動部材の長さを上記操作レバーの回動中心軸から上記指かけの中心付近までの長さと同じに形成すると共に、上記操作レバー開閉時に上記操作レバーの開閉角度と同じ開閉角度で上記先端作動部材を開閉させるリンク機構を介して上記操作レバーと上記先端作動部材とを連結したことを特徴とする内視鏡用処置具。
【請求項２】
上記先端作動部材と上記指かけとが、上記先端作動部材が閉じ状態のとき上記一対の指かけに係合させた指どうしが密接する関係に配置されている請求項１記載の内視鏡用処置具。
【発明の詳細な説明】
【０００１】
【産業上の利用分野】
この発明は、指かけが形成された手元側の一対の操作レバーを開閉操作することにより、先端側の先端作動部材が遠隔的に開閉される内視鏡用処置具に関する。
【０００２】
そのような内視鏡用処置具の手元側操作部には、操作ワイヤなどを引っ張る方向に指をスライド操作する方式と、鋏などと同様にして操作レバーを開閉操作する方式とがあり、本発明は後者に関するものである。
【０００３】
【従来の技術】
操作レバーを開閉操作する方式の内視鏡用処置具は、一般に、先端側の先端作動部材と指かけが形成された手元側の操作レバーとを細長いシャフトで連結して構成されていて、操作レバーを開閉操作することにより先端作動部材が開閉駆動されるようになっており、操作レバーの大きさは普通の人の手の大きさに合わせてある。
【０００４】
【発明が解決しようとする課題】
上述のように、操作レバーの大きさを普通の人の手の大きさに合わせて形成すると、その大きさは処置具の先端作動部よりもはるかに大きなものになる。
【０００５】
したがって、従来の内視鏡用処置具においては、操作レバーを開閉操作する指の操作量と体内で開閉される先端作動部の開閉量とが大幅に相違していて、先端作動部がどの程度開閉しているのかを操作者が把握することができない。
【０００６】
そのため、先端作動部に挟まれる患部の大きさや硬さを操作者が実感することができず、どの程度の力を加えても出血しないか等の判断が非常に難しくて、安全な使用をするのに相当の熟練を要する欠点がある。
【０００７】
そこで本発明は、先端作動部に挟まれる患部の大きさや硬さを手元側で実感することができて、容易に安全に使用することのできる内視鏡用処置具を提供することを目的とする。
【０００８】
【課題を解決するための手段】
上記の目的を達成するため、本発明の内視鏡用処置具は、手元側には、支点を中心に回動自在で各々に指かけが形成された一対の操作レバーを設け、先端側には、上記一対の操作レバーを開閉操作することによって遠隔的に開閉駆動される先端作動部材を設けた内視鏡用処置具において、上記操作レバー開閉時の上記指かけの開閉量と上記先端作動部材の開閉量とをほぼ等しくしたことを特徴とする。
【０００９】
なお、上記先端作動部材と上記指かけとが、上記先端作動部材が閉じ状態のとき上記一対の指かけに係合させた指どうしがほぼ密接する関係に配置されているとよい。
【００１０】
【実施例】
図面を参照して実施例を説明する。
図２は、本発明を内視鏡用生検鉗子に適用した場合の第１の実施例の平面断面図であり、図１はそれをリンク機構的に示す側面図である。なお、白丸はリンクを回動自在に連結する関節を示している。
【００１１】
先端作動部材は一対の鉗子カップ１１，１１によって形成されており、連結管２の先端部分に配置された公知のパンタグラフ様のリンク機構３に連結されている。
【００１２】
連結管２は、例えばステンレス鋼管のような金属パイプによって形成されており、その手元側には、連結管２に固定された軸４を中心に回転自在な一対の操作レバー５，５が配置されていて、その各操作レバー５，５の端部には操作者の指を係合させるためのループ状の指かけ６，６が形成されている。
【００１３】
一対の操作レバー５，５には、回転軸４の近傍に先端側と同様のリンク機構７が取り付けられていて、両リンク機構３，７の間を連結するロッド８が、連結管２内に進退自在に緩く挿通されている。
【００１４】
その結果、一対の指かけ６，６に各々指を係合させて操作レバー５，５を開閉操作すれば、手元側のリンク機構７によってロッド８が連結管２内で進退駆動され、それによって、先端側のリンク機構３が動作して鉗子カップ１１，１１が開閉駆動される。
【００１５】
このように構成された第１の実施例の生検鉗子は、操作レバー５，５の開閉角度と鉗子カップ１１，１１の開閉角度とが共にほぼθで等しく、また指かけ６，６の開閉移動量と鉗子カップ１１，１１の開閉移動量が共にほぼＷで等しくなっている。
【００１６】
そのような動作をさせるには、先端側と手元側の両リンク機構３，７の各リンク長を同じにすればよく、また、必ずしもリンク長を同じにしなくても、両リンク機構３，７のリンク長を、そのような動作をさせるのに適した関係に設定すればよい。
【００１７】
その結果、この実施例の内視鏡用生検鉗子を内視鏡のチャンネル又は内視鏡とは別に体腔内に挿入される案内筒等を介して患者の体内に差し込み、操作レバー５，５を対外から操作して鉗子カップ１１，１１を開閉駆動すれば、指かけ６，６の開閉量と鉗子カップ１１，１１の開閉量がほぼ等しく、先端作動部材鉗子カップ１１，１１が閉じ状態のときには、一対の指かけ６，６どうしが最接近して、そこに係合させた指どうしがほぼ密接する。
【００１８】
したがって、鉗子カップ１１，１１がどの程度開閉しているのかを操作者が容易に把握することができるので、鉗子カップ１１，１１に挟まれる患部の大きさや硬さを操作者が実感することができ、どの程度の力を加えても出血しないか等の判断なども容易に行うことができる。
【００１９】
図３は、本発明の第２の実施例を示しており、第１の実施例と同様の構造の生検鉗子において、鉗子カップ１１，１１の作動長さと操作レバー５，５の作動長さを同じ長さＬにしたものである。
【００２０】
したがって、容易に、操作レバー５，５の開閉角度と鉗子カップ１１，１１の開閉角度とを等しくし、且つ指かけ６，６の開閉移動量と鉗子カップ１１，１１の開閉移動量とを等しくすることができる。
【００２１】
なお本発明は、上記実施例に限定されるものではなく、先端作動部材として、例えば図４又は図５に示されるような把持片１２，１２を持つ把持鉗子や、図６に示されるような鋏１３，１３を持つ処置具等にも適用することができ、また、軟性の挿入部を有する内視鏡に使用できるように、連結管２とロッド８を可撓性のある部材で形成してもよい。
【００２２】
【発明の効果】
本発明によれば、操作レバー開閉時の指かけの移動量と先端作動部材の移動量をほぼ等しくしたことにより、先端作動部材がどの程度開閉しているのかを操作者が容易に把握することができる。その結果、先端作動部材に挟まれる患部の大きさや硬さを操作者が実感することができ、さらにどの程度の力を加えても出血しないか等の判断なども容易に行うことができるので、熟練していない操作者でも容易に安全に使うことができる。
【００２３】
そして、先端作動部材と指かけを、先端作動部材が閉じ状態のときに一対の指かけに係合させた指どうしがほぼ密接する関係に配置すれば、先端作動部材がどの程度開閉しているのかを、操作者がより容易に把握することができる。
【図面の簡単な説明】
【図１】第１の実施例をリンク機構的に示す側面図である。
【図２】第１の実施例の平面断面図である。
【図３】第２の実施例の側面図である。
【図４】第３の実施例の先端部分の斜視図である。
【図５】第４の実施例の先端部分の斜視図である。
【図６】第５の実施例の先端部分の斜視図である。
【符号の説明】
５  操作レバー
６  指かけ
１１  鉗子カップ（先端作動部材）
【図１】
0003615800.tif 000002
【図２】
0003615800.tif 000003
【図３】
0003615800.tif 000004
【図４】
0003615800.tif 000005
【図５】
0003615800.tif 000006
【図６】
0003615800.tif 000007